(57)【要約】【課題】薬害などの障害を発生させることなく、長期間にわたって亜リン酸の肥料効果が発揮される育苗用培土及び育苗方法を提供する。【解決手段】培土基材としてピートモスとバーミキュライトとを用い、亜リン酸及び／又は亜リン酸塩を含有することを特徴とする。ここで、より長期間にわたって亜リン酸の効能を発揮させる観点からは、培土基材としてゼオライトをさらに用いるのが好ましい。ゼオライトの培土に占める容積割合としては、５容積％〜２０容積％の範囲が好ましい。また、亜リン酸及び／又は亜リン酸塩の含有量は、２．４６×１０−４ｍｏｌ／Ｌ〜２．９６×１０−３ｍｏｌ／Ｌの範囲であるのが好ましい。そしてまた、ピートモスとバーミキュライトと容積比率は、１５：８５〜８５：１５の範囲であるのが好ましい。【選択図】図１
2015119651.tif 000002
【特許請求の範囲】
【請求項１】
培土基材としてピートモスとバーミキュライトとを用い、亜リン酸及び／又は亜リン酸塩を含有することを特徴とする育苗用培土。
【請求項２】
培土基材としてゼオライトをさらに用いる請求項１記載の育苗用培土。
【請求項３】
ゼオライトの培土に占める容積割合が５容積％〜２０容積％の範囲である請求項２記載の育苗用培土。
【請求項４】
亜リン酸及び／又は亜リン酸塩の含有量が２．４６×１０−４ｍｏｌ／Ｌ〜２．９６×１０−３ｍｏｌ／Ｌの範囲である請求項１〜３のいずれかに記載の育苗用培土。
【請求項５】
ピートモスとバーミキュライトと容積比率が１５：８５〜８５：１５の範囲である請求項１〜４のいずれかに記載の育苗用培土。
【請求項６】
請求項１〜５のいずれかに記載の育苗用培土を育苗用容器に充填した後、植物種子を播種し育苗することを特徴とする育苗方法。
【発明の詳細な説明】
【技術分野】
【０００１】
本発明は、育苗用培土及び育苗方法に関し、より詳細には、亜リン酸及び／又は亜リン酸塩（以下、単に「亜リン酸」と記すことがある）を含有する育苗用培土及び育苗方法に関するものである。
【背景技術】
【０００２】
リンは、植物の栄養源として重要な元素であり、植物に対して主としてリン酸の形態で施肥されている。しかしながら、施肥されたリン酸の大部分は、土壌中の鉄またはアルミニウムなどと結合して不溶化する。植物は不溶化したリン酸を栄養源として利用することができないので、施肥されたリン酸の大部分が無駄になるとともに、土壌中に大量のリン酸が残留することになる。
【０００３】
リン酸の有するかかる問題点を解決するために、リン酸以外の形態で植物に対してリンを施肥しようとする試みがなされている。例えば、特許文献１では、亜リン酸及び／又は亜リン酸塩を含有する粒状肥料組成物を元肥や追肥として使用することが提案されている。
【先行技術文献】
【特許文献】
【０００４】
【特許文献１】特開2009-184874号公報
【発明の概要】
【発明が解決しようとする課題】
【０００５】
ところが、亜リン酸が本質的に有している作物に対する薬害等の障害の懸念から、使用時期及び施肥量に制限があり、所望の肥料効果を得るためには所定の期間ごとに何度も施肥する必要があり、作業の煩雑性の点で課題があった。
【０００６】
本発明は、このような従来の課題を解決するためになされたものであり、その目的は、薬害などの障害を発生させることなく、長期間にわたって亜リン酸の肥料効果が発揮される育苗用培土及び育苗方法を提供することにある。
【課題を解決するための手段】
【０００７】
本発明者等は、育苗用培土の基材として特定の基材を用いることによって、亜リン酸及び／又は亜リン酸塩の肥料効果を薬害を生じさせずに有効に発揮させることができるとの知見を得、本発明を成すに至った。すなわち、本発明の育苗培土は、培土基材としてピートモスとバーミキュライトとを用い、亜リン酸及び／又は亜リン酸塩を含有することを特徴とする。
【０００８】
ここで、より長期間にわたって亜リン酸の効能を発揮させる観点からは、培土基材としてゼオライトをさらに用いるのが好ましい。
【０００９】
ゼオライトの培土に占める容積割合としては、５容積％〜２０容積％の範囲が好ましい。
【００１０】
また、亜リン酸及び／又は亜リン酸塩の含有量は、２．４６×１０−４ｍｏｌ／Ｌ〜２．９６×１０−３ｍｏｌ／Ｌの範囲であるのが好ましい。
【００１１】
そしてまた、ピートモスとバーミキュライトと容積比率は、１５：８５〜８５：１５の範囲であるのが好ましい。
【００１２】
また本発明によれば、前記のいずれかに記載の育苗用培土を育苗用容器に充填した後、植物種子を播種し育苗することを特徴とする育苗方法が提供される。
【発明の効果】
【００１３】
本発明の育苗培土及び育苗方法によれば、薬害などの障害を発生させることなく、長期間にわたって亜リン酸の肥料効果が発揮される。これにより、植物の初期生育が促進され、根張りがよくなり養分吸収が高まり、苗質が向上し健苗になる。
【図面の簡単な説明】
【００１４】
【図１】実施例１７〜２０と比較例１１のレタスの生育状態を示す写真である。
【図２】実施例２１，比較例１２のレタスの葉の生育状態を示す写真である。
【図３】実施例２１，比較例１２のレタスの生育状態を示す写真である。
【図４】実施例２２，比較例１３のネギの葉の生育状態を示す写真である。
【図５】実施例２２，比較例１３のネギの根の生育状態を示す写真である。
【発明を実施するための形態】
【００１５】
本発明に係る育苗用培土の大きな特徴は、培土基材としてピートモスとバーミキュライトとを用い、亜リン酸を含有することにある。
【００１６】
培土基材として用いるピートモスとバーミキュライトとの配合割合に特に限定はなく、育苗する植物の種類等などを考慮し適宜決定すればよいが、通常、ピートモス：バーミキュライト＝１５：８５〜８５：１５（容積比率）の範囲が好ましい。
【００１７】
また、本発明で使用する培土基材として、ピートモス及びバーミキュライトの他にさらにゼオライトを加えてもよい。ゼオライトを培土基材に加えることで、長期間にわたって優れた肥料効果が発揮されるようになる。ゼオライトの配合割合としては、育苗用培土に対して５容積％〜２０容積％の範囲が好ましい。
【００１８】
本発明で使用する培土基材には、天然土など従来公知の培土基材を配合してもよいが、ピートモスとバーミキュライトとに、必要によりゼオライトとを加えた総容積が、育苗用培土の５０容積％を超えていることが必要である。
【００１９】
本発明で使用する亜リン酸及び亜リン酸塩としては、亜リン酸の他に、例えば、カリウム塩及びナトリウム塩などのアルカリ金属塩、カルシウム塩及びマグネシウム塩などのアルカリ土類金属塩、並びにアンモニウム塩などが挙げられる。好適には亜リン酸及び亜リン酸のアルカリ金属塩であり、より好適には亜リン酸及び亜リン酸カリウムである。
【００２０】
亜リン酸及び／又は亜リン酸塩の育苗用培土における含有量は、育苗する植物の種類等を考慮し適宜決定すればよいが、通常、２．４６×１０−４ｍｏｌ／Ｌ〜２．９６×１０−３ｍｏｌ／Ｌの範囲が好ましい。亜リン酸及び／又は亜リン酸塩の含有量がこの範囲であると、苗質の一層の向上が図れる。
【００２１】
本発明に係る育苗用培土の作製は、前述の培土基材に亜リン酸を添加することにより行われる。具体的には、培土基材としてのピートモス、バーミキュライト、そして必要によりゼオライトを混合した後、亜リン酸を添加してもよいし、ピートモス及びバーミキュライトの少なくとも一方に亜リン酸を添加した後、これらを混合してもよい。なお、培土基材の混合は、ミキサーなど従来公知の混合機を用いることができる。
【００２２】
本発明の育苗用培土には、植物の種類に応じた肥料を添加しておいてもよい。肥料としては、無機質肥料や有機質肥料、化学堆肥など従来公知のものを使用することができる。
【００２３】
本発明の育苗用培土は、野菜や花卉、苗木、水稲などの容器での育苗に好適である。例えば、本発明の育苗用培土を、セル、ポット、トレー、苗箱などの育苗用容器に充填し、播種する。本発明の育苗用培土に播種するのに適する植物としては、レタス、ゴボウ、シュンギク、アスター、ジニア、ヒマワリ等のキク科作物、ネギ、タマネギ、ニラ等のユリ科作物、カンラン、ハクサイ、ブロッコリー、チンゲンサイ、カリフラワー、ハナヤサイ、ハボタン、ストック、アリッサム等のアブラナ科作物、ナス、トマト、台木ナス、ピーマン、シシトウガラシ、トウガラシ、タバコ、ペチュニア等のナス科作物、イチゴ等のバラ科作物、ホウレンソウ、テンサイ等のアカザ科作物、セロリ、パセリ等のセリ科作物、ダイズ、エンドウ等のマメ科作物、キュウリ、メロン、カボチャ、スイカ、ユウガオ、トウガン等のウリ科作物、ソバ等のタデ科作物、イネ、オオムギ、コムギ、メヒシバ、スイートコーン、ソルゴー類等のイネ科作物や工芸作物、ロベリア等のキキョウ科植物、デルフィニウム等のキンポウゲ科植物、キンギョソウ等のゴマノハグサ科植物、プリムラ等のサクラソウ科植物、ベゴニア等のシュウカイドウ科植物、パンジー、ビオラ等のスミレ科植物、トルコギキョウ等のリンドウ科植物、シソ、サルビア等のシソ科植物、スギ、ヒノキ等の樹木等が挙げられる。
【実施例】
【００２４】
以下、本発明を実施例によりさらに詳しく説明するが本発明はこれらの例に何ら限定されるものではない。
【００２５】
実施例１〜４，比較例１〜３
表１に示す培土基材と配合比（容積比）で基材培土を作製した。そこに、化成肥料として窒素（Ｎとして１１０ｍｇ／Ｌ）、リン酸（Ｐ２Ｏ５として２５０ｍｇ／Ｌ）、カリウム（Ｋ２Ｏとして１２０ｍｇ／Ｌ）を添加し、さらに、亜リン酸を４．９３×１０−４ｍｏｌ／Ｌ添加して混合し育苗用培土とした。
作製した育苗用培土を２００穴のユープラグトレイ（日泉ポリテック社製）に充填し、レタスの種子（「マイヤー」住化農業資材）を播種し、バイオトロンを用いて育苗した。なお、育苗温度は昼温２５℃（１１時間）、夜温１０℃（１３時間）とした。
播種後２３日目に、レタス苗の最大葉長と葉幅とを測定し葉面積を算出するとともに、地上部生重量、根乾重量を測定し、亜リン酸を添加しなかったときのレタス苗に対する増加率を算出した。結果を表１に示す。
【００２６】
【表１】
2015119651.tif 000003
【００２７】
表１に示すように、本発明の育苗用培土である実施例１〜４の培土において、実施例１では根乾重量増加率、実施例２では葉面積増加率が、亜リン酸を添加しなかった場合に比べてマイナス値となったが、全体的には亜リン酸を添加しなかった場合に比べてレタス苗の生育は優れていた。
これに対し、比較例１〜３の育苗用培土では、葉面積、地上部生重量、根乾重量の３つの測定項目の内、２つ以上の測定項目においてマイナス値となり、亜リン酸を添加したことによる肥料効果は十分には奏されなかった。
【００２８】
実施例５〜８，比較例４〜８
表２に示す培土基材と配合比（容積比）で基材培土を作製した。そこに、化成肥料として窒素（Ｎとして１１０ｍｇ／Ｌ）、リン酸（Ｐ２Ｏ５として２５０ｍｇ／Ｌ）、カリウム（Ｋ２Ｏとして１２０ｍｇ／Ｌ）を添加し、さらに、亜リン酸を４．９３×１０−４ｍｏｌ／Ｌ添加して混合し育苗用培土とした。
作製した育苗用培土を２００穴のユープラグトレイ（日泉ポリテック社製）に充填し、レタスの種子（「マイヤー」住化農業資材）を播種し、バイオトロンを用いて育苗した。なお、育苗温度は昼温２５℃（１１時間）、夜温１０℃（１３時間）とした。
播種後２３日目に、植物体の地上部をサンプリングし、細かく刻んだ後よく混合し、サンプルの重量の１０倍の重量の超純水を加え、エースホモジナイザーＡＭ−１１((株)日本精機製作所))で粉砕（フラッシュで３回粗粉砕後、回転数１５,０００ｒｐｍで３０秒間粉砕）した。粉砕サンプルを濾紙（ＡＤＶＡＮＴＥＣ社製  ５Ｃ 直径１２５ｍｍ)を用いて、吸引濾過を行い回収した濾液を、イオンクロマトグラフィー（東ソー ＩＣ-２００１（サプレッサー方式イオンクロマトグラフ））で分析し、植物体の亜リン酸吸収量を測定した。結果を表２に示す。
【００２９】
【表２】
2015119651.tif 000004
【００３０】
表２に示すように、亜リン酸添加量が同じであっても、本発明の育苗用培土である実施例５〜８で生育したレタスは、比較例４〜８の育苗用培土で生育したレタスよりも明らかに亜リン酸吸収量が多かった。
【００３１】
実施例９〜１２，比較例９
ピートモス：バーミキュライトを５０：５０（容量比率）で混合した培土基材に、化成肥料として窒素（Ｎとして１１０ｍｇ／Ｌ）、リン酸（Ｐ２Ｏ５として２５０ｍｇ／Ｌ）、カリウム（Ｋ２Ｏとして１２０ｍｇ／Ｌ）を添加し、さらに、亜リン酸を表３に示す割合でそれぞれ添加し混合して育苗用培土を作製した。
作製した育苗用培土を２００穴のユープラグトレイ（日泉ポリテック社製）に充填し、レタスの種子（「シルル」住化農業資材）を播種し、ビニールハウスで育苗した。なお、育苗中の平均地温は１５℃、最低地温は１０℃、最高地温は２７℃であった。
播種後３３日目に、レタス苗の最大葉長と最大葉幅とを測定し葉面積を算出した。結果を表３に示す。
【００３２】
【表３】
2015119651.tif 000005
【００３３】
表３に示すように、本発明の育苗用培土である実施例９〜１２の培土で育苗したレタスの葉面積は、亜リン酸を添加しなかった比較例９の培土で育苗したレタスの葉面積よりも大きかった。
【００３４】
実施例１３〜１６，比較例１０
ピートモス：バーミキュライト：ゼオライトを４５：４５：５（容量比率）で混合した培土基材に、化成肥料として窒素（Ｎとして１００ｍｇ／Ｌ）、リン酸（Ｐ２Ｏ５として７６０ｍｇ／Ｌ）、カリウム（Ｋ２Ｏとして１５０ｍｇ／Ｌ）を添加し、さらに、亜リン酸を表４に示す割合でそれぞれ添加し混合して育苗用培土を作製した。
作製した育苗用培土を２００穴のユープラグトレイ（日泉ポリテック社製）に充填し、レタスの種子（「シルル」住化農業資材）を播種し、ビニールハウスで育苗した。なお、育苗中の平均地温は１５℃、最低地温は１０℃、最高地温は２７℃であった。
播種後３３日目に、レタス苗の草丈、そして最大葉長と最大葉幅とを測定し葉面積を算出した。結果を表４に示す。
【００３５】
【表４】
2015119651.tif 000006
【００３６】
表４に示すように、本発明の育苗用培土である実施例１３〜１６の培土で育苗したレタスの草丈は、亜リン酸を添加しなかった比較例１０の培土で育苗したレタスの草丈よりも長く、また、葉面積についても実施例１３〜１６の培土で育苗したレタスの方が比較例１０の培土で育苗したレタスよりも大きかった。
【００３７】
実施例１７〜２０，比較例１１
ピートモス：バーミキュライト：ゼオライトを４５：４５：５（容量比率）で混合した培土基材に、化成肥料として窒素（Ｎとして１６０ｍｇ／Ｌ）、リン酸（Ｐ２Ｏ５として３５０ｍｇ／Ｌ）、カリウム（Ｋ２Ｏとして１７０ｍｇ／Ｌ）を添加し、さらに、亜リン酸を表５に示す割合で添加し混合して育苗用培土を作製した。
作製した育苗用培土を２００穴のユープラグトレイ（日泉ポリテック社製）に充填し、レタスの種子（「シルル」住化農業資材）を播種し、ビニールハウスで育苗した。なお、育苗中の平均地温は１５℃、最低地温は８℃、最高地温は３０℃であった。
播種後２４日目に、レタス苗の最大葉長と最大葉幅とを測定し葉面積を算出すると共に根乾重量を測定した。表５に結果を示す。また、図１にレタスの生育状態を示す。
【００３８】
【表５】
2015119651.tif 000007
【００３９】
表５に示すように、本発明の育苗用培土である実施例１７〜２０の培土で育苗したレタスの葉面積は、亜リン酸を添加しなかった比較例１１の培土で育苗したレタスの葉面積よりも大きく、また、根乾重量についても実施例１７〜１９の培土で育苗したレタスの方が比較例１１の培土で育苗したレタスよりも重かった。なお、実施例２０の培土で育苗したレタスの根乾重量が比較例１１のものよりも軽くなったが、これは、亜リン酸塩の添加量が好適範囲を超えていたため、亜リン酸の薬害が現れ始めたものと考えられる。
【００４０】
実施例２１，比較例１２
ピートモス：バーミキュライトを５０：５０（容量比率）で混合した培土基材に、化成肥料として窒素（Ｎとして１６０ｍｇ／Ｌ）、リン酸（Ｐ２Ｏ５として３５０ｍｇ／Ｌ）、カリウム（Ｋ２Ｏとして１７０ｍｇ／Ｌ）を添加し、さらに、亜リン酸を表６に示す割合で添加し混合して育苗用培土を作製した。
作製した育苗用培土を２２０穴のポットシステム専用育苗箱（みのる産業社製）に充填し、レタスの種子（「ルシナ６６」タキイ種苗）を播種し、ビニールハウスで育苗した。
播種後１６日目に、レタス苗の健苗率と生育状況を調査した。表６に調査結果を示す。また、図２にレタスの葉の生育状態、図３にレタスの生育状態をそれぞれ示す。
【００４１】
【表６】
2015119651.tif 000008
【００４２】
表６に示すように、本発明の育苗用培土である実施例２１の培土で育苗したレタスの健苗率は、亜リン酸を添加しなかった比較例１２の培土で育苗したレタスの健苗率よりも格段に高かった。また、図２及び図３から明らかなように、実施例２１の培土で育苗したレタスは、比較例１２の培土で育苗したレタスよりも、葉及び根の生育状態は優れていた。
【００４３】
実施例２２，比較例１３
ピートモス：バーミキュライト：ゼオライトを４０：４０：１０（容量比率）で混合した培土基材に、化成肥料として窒素（Ｎとして１０３０ｍｇ／Ｌ）、リン酸（Ｐ２Ｏ５として２５２０ｍｇ／Ｌ）、カリウム（Ｋ２Ｏとして４００ｍｇ／Ｌ）を添加し、さらに、亜リン酸を表７に示す割合で添加し混合して育苗用培土を作製した。
作製した育苗用培土を２２０穴のポットシステム専用育苗箱（みのる産業社製）に充填し、ネギの種子（「夏扇４号」サカタのタネ）を播種し、ビニールハウスで育苗した。
播種後５６日目に、ネギ苗の葉長、葉鞘径、根乾重量を測定した。表７に測定結果を示す。また、図４にネギの葉の生育状態、図５にネギの根の生育状態をそれぞれ示す。
【００４４】
【表７】
2015119651.tif 000009
【００４５】
表７に示すように、本発明の育苗用培土である実施例２２の培土で育苗したネギの葉長、葉鞘径、根乾重量はいずれも、亜リン酸を添加しなかった比較例１３の培土で育苗したネギよりも大きかった。また、図４及び図５から明らかなように、実施例２２の培土で育苗したネギは、比較例１３の培土で育苗したネギよりも、葉及び根の生育状態は優れていた。
【産業上の利用可能性】
【００４６】
本発明に係る育苗培土及び育苗方法では、薬害などの障害を発生させることなく、長期間にわたって亜リン酸の肥料効果が発揮され有用である。
【図１】
2015119651.tif 000010
【図２】
2015119651.tif 000011
【図３】
2015119651.tif 000012
【図４】
2015119651.tif 000013
【図５】
2015119651.tif 000014